(57)【要約】【課題】内刃の支持構造を単純にして部品点数の減少と小型化を可能にし、組立性を良くして生産性向上を可能にし、防水構造をの採用が容易になり、髭剃り屑の掃除を容易にし、新しい製造設備の導入も不要にする。【解決手段】互いに独立に上下動可能な外周外刃１０および内周外刃１２と、上向きの復帰習性が付与された駆動軸７０と、この駆動軸７０と係合し一体に回転する外周内刃ガイド６０と、この外周内刃ガイド６０に固定された外周内刃５２と、外周内刃ガイド６０に上方から上下動可能に係合する複数の係合爪８２を持ち外周内刃ガイド６０と共に回転する内周内刃ガイド７８と、この内周内刃ガイド７８に固定された内周内刃５４と、外周内刃ガイド６０の上面と内周内刃ガイド７８の下面との間に装填され内周内刃ガイド７８を上向きに付勢する押上げばね８８と、を備える。【選択図】図２
2008099770.tif 000002
【特許請求の範囲】
【請求項１】
互いに同心円上に配設された複数の外刃と、これらの外刃に対して下方から摺接して回転する複数の内刃とを備えるロータリー式電気かみそりにおいて、
互いに独立に同心円上に上下動可能に保持された外周外刃および内周外刃と、
電気モータによって回転駆動されると共に上向きの復帰習性が付与された駆動軸と、
この駆動軸に係合してこの駆動軸と一体に回転する外周内刃ガイドと、
この外周内刃ガイドに固定され前記外周外刃に下方から摺接する外周内刃と、
前記外周内刃ガイドに上方から上下動可能に係合し前記外周内刃ガイドと共に回転する内周内刃ガイドと、
この内周内刃ガイドに固定され前記内周外刃に下方から摺接する内周内刃と、
前記外周内刃ガイドの上面と前記内周内刃ガイドの下面との間に装填され前記内周内刃ガイドを上向きに付勢する押上げばねと、
を備えることを特徴とするロータリー式電気かみそり。
【請求項２】
外周内刃ガイドは、駆動軸が係入する係合穴を持つ筒状部と、この筒状部の上部から外周方向に延出する外周内刃保持部と、この外周内刃保持部に上下方向に貫通する複数の開口部と、を備え；
内周内刃ガイドは、前記外周内刃ガイドの上方に位置する内周内刃保持部と、この内周内刃保持部から下方へ延出し前記外周内刃ガイドの開口部に進入して前記外周内刃ガイドに上下動可能に係合する複数の係合爪と、を備える請求項１のロータリー式電気かみそり。
【請求項３】
外周外刃はその外周が外刃ケースに下方へ沈み込み可能に保持され、内周外刃はその外周が前記外周外刃の内周に下方へ沈み込み可能に保持されている請求項１または２のロータリー式電気かみそり。
【請求項４】
外周外刃の内周には下方に向かって開く複数のスリットが形成され、内周外刃の外周には外径方向に突出しこれらスリットに係合する複数の爪が形成され、前記外周外刃の内周下縁は前記スリットに前記爪を係入させた状態で防振リングによって周方向に固定されている請求項３のロータリー式電気かみそり。
【請求項５】
外周内刃ガイドには、外周外刃の内周下縁に固定された防振リングの内周面に摺接して前記外周内刃ガイドの軸振れを防ぐ突壁が上向きに突設されている請求項４のロータリー式電気かみそり。
【発明の詳細な説明】
【技術分野】
【０００１】
この発明は、互いに同心円上に配設された複数の外刃に、下方から内刃が摺接しながら回転するロータリー式電気かみそりに関するものである。
【背景技術】
【０００２】
従来より、環状の外刃に同心円上の２つのトラック（内刃が走行する環状の溝）を設けたいわゆる２トラック（ダブルトラック）方式によるロータリー式電気かみそりが広く用いられている。ここに２つのトラックは１つの共通な外刃に設けたものであり、内周と外周の２つのトラックは一体である。またこれら２つのトラックに摺接する内刃も一体に形成されている。すなわち内刃は外周トラックに摺接する外周内刃と内周トラックに摺接する内周内刃とを一体化したものであり、これを上向きに付勢された駆動軸に上方から係合させ、駆動軸の上向きの復帰力により内刃を外刃に押圧するものである。
【０００３】
この従来のものは外刃が一体であるため、皮膚に当たる面の全体が肌面の凹凸に対応して上下動することになり、肌面の細かい凹凸に対して外刃が細かく追従することができない、という問題がある。
【０００４】
【特許文献１】特開２００１−７５５
【特許文献２】特開昭５５−１５８０８４
【０００５】
そこで外刃を内・外周トラックに対応して分割し、内周外刃と外周外刃とを独立に上下動可能にすることが特許文献１、２などにより提案されている。
【発明の開示】
【発明が解決しようとする課題】
【０００６】
これら特許文献１、２に開示されたものは、外刃を内・外周に分割しているが、内刃の支持構造が非常に複雑であり、部品点数も極めて多く大型になるものであった。特許文献１、２に示されたものは、外周内刃と内周内刃の保持部を同軸の筒状に形成しそれぞれの筒状保持部をモータにより駆動している。またそれぞれの筒状保持部を上向きに付勢するばねをこれら筒状の保持部内に収納している。このため内刃の支持部分の上下寸法および径が大きくなり大型化する。また構造が複雑なため組立性が悪く組立工数が増大し、防水構造とするのが困難であり、髭屑の掃除も難しいという問題もある。
【０００７】
さらにモータの回転を内刃に伝える駆動系の構造が、従来のような駆動軸に上向きの復帰力を付与した構造のものと大幅に異なるため、専用の設計が必要になり、新しい製造設備の導入も必要になる。
【０００８】
この発明はこのような事情に鑑みなされたものであり、内刃の支持構造を単純にして部品点数の減少と小型化を可能にし、組立性を良くして生産性向上を可能にし、防水構造をの採用が容易になり、髭剃り屑の掃除を容易にし、新しい製造設備の導入も不要にすることができるロータリー式電気かみそりを提供することを目的とする。
【課題を解決するための手段】
【０００９】
この発明によればこの目的は、互いに同心円上に配設された複数の外刃と、これらの外刃に対して下方から摺接して回転する複数の内刃とを備えるロータリー式電気かみそりにおいて、互いに独立に同心円上に上下動可能に保持された外周外刃および内周外刃と、電気モータによって回転駆動されると共に上向きの復帰習性が付与された駆動軸と、この駆動軸に係合してこの駆動軸と一体に回転する外周内刃ガイドと、この外周内刃ガイドに固定され前記外周外刃に下方から摺接する外周内刃と、前記外周内刃ガイドに上方から上下動可能に係合する複数の係合爪を持ち前記外周内刃ガイドと共に回転する内周内刃ガイドと、この内周内刃ガイドに固定され前記内周外刃に下方から摺接する内周内刃と、前記外周内刃ガイドの上面と前記内周内刃ガイドの下面との間に装填され前記内周内刃ガイドを上向きに付勢する押上げばねと、を備えることを特徴とするロータリー式電気かみそりにより達成される。
【００１０】
すなわち内・外周内刃ガイドを軸方向に偏位させて多層にし、両者の間に押上げばねを挟んだものである。
【発明の効果】
【００１１】
外刃を内周外刃と外周外刃に分割しそれぞれを独立に上下動可能とする一方、これら内・外周外刃に下方から摺接する内刃を内周内刃と外周内刃に分割してそれぞれが内・外周外刃に独立に摺接するようにしたものであるから、肌面への追従性が向上する。このため髭の切れ味と髭剃り感の向上が可能である。
【００１２】
上向きに復帰習性が付与された駆動軸に、外周内刃が固定された外周内刃ガイドを係合させたので、外周内刃は駆動軸の復帰力によって外周外刃に押圧される。従って外周内刃を上向きに付勢するための専用のばねが不用である。
【００１３】
また内周内刃が固定された内周内刃ガイドは、外周内刃ガイドに上方から上下動可能に係合し、これら両内刃ガイドの間に縮装したばねによって内周内刃に上向きの復帰力を付与したから、外周内刃ガイドと内周内刃ガイドは、言わば上下二層に軸方向に重ねられて保持されることになる。このため両内刃ガイドを同軸状に形成する必要がなく、この同軸状の筒の内側にばねを装填する必要もない。このため部品点数が減り、構造が簡単になり、小型化が可能である。
【００１４】
また構造が簡単であるから、組立性が良くなり、生産性が向上する。さらに防水構造の採用が容易であり、髭剃り屑の掃除も容易になる。一方上向きに復帰習性が付与された駆動軸は、従来の電気かみそりに広く採用された構造であるから、内刃の支持構造を変更するだけで対応することができ、従来の生産設備を利用し易くなり、特殊な新しい製造設備の導入も不要になる。
【発明を実施するための最良の形態】
【００１５】
外周内刃ガイドは、駆動軸が係入する係合穴を持つ筒状部と、この筒状部の上部から外周方向に延出する外周内刃保持部と、この外周内刃保持部を上下方向に貫通する複数の開口部とを設けたものとすることができる。この場合内周内刃ガイドには、外周内刃ガイドの上方に位置する内周内刃保持部と、この内周内刃保持部から下方へ延出し前記外周内刃ガイドの開口部に進入して外周内刃ガイドに上下動可能に係合する複数の係合爪と、を備える構造とすることができる（請求項２）。
【００１６】
外刃は、外周外刃の内周縁に内周外刃の外周を係合させて、互いに独立に上下動（沈み込み）可能にすることができる（請求項３）。このようにすれば外周外刃と内周外刃を接近させ、これらの半径方向の間隙を小さくすることができる。
【００１７】
内周外刃の外周を外周外刃の内周に係合させるためには、外周外刃の内周に下方に向かって開くスリットを周方向の複数箇所に形成し、内周外刃の外周にこれらのスリットに係入する爪を外径方向に突出させ、これらスリットと爪を係入させた状態で外周外刃の内周下縁を防振リングで周方向に固定すればよい（請求項４）。なおスリットと爪を逆にしてもよい。すなわち外周外刃に内径方向に突出する爪を設け、内周外刃の内周にスリットを設けることも可能である。
【００１８】
この防振リングの内周には外周内刃ガイドに上向きに突設した突壁を摺接させれば、外周内刃ガイドの軸振れを防止することができる（請求項５）。また外刃は外周と内周の２つを組合せたものに限られず、３つ以上の外刃を同心に設け内刃もこれに対応して３つ以上を環状に配列することも可能であり、本発明はこのようなものを含む。
【実施例１】
【００１９】
図１は本発明の一実施例である内刃支持部の組立状態を示す平面図、図２は外刃および内刃を組合せた状態を示す図１におけるII-II線断面図、図３は同じく図１におけるIII-III線断面図、図４は外周内刃ガイドの平面図である。なお図１、４は外刃および内刃を除いた状態を示している。
【００２０】
図２、３において符号１０は外周外刃、１２は内周外刃でありこれらは同心に組合されて外刃１４を形成する。外周外刃１０は円環状であって、その中心線を含む半径方向の平面による断面が下方に向かって開く略逆Ｕ字状となっている。外周外刃１０の上面は薄肉に形成され、ここにはほぼ放射方向のスリット状髭導入孔１６が周方向に多数形成されている。外周外刃１０は、外刃ケース１８に設けた外刃挿入孔２０に下方から装着される。
【００２１】
すなわち、外周外刃１０の外周下縁は、周方向の複数箇所が外側へ折曲され、これら折曲部２２が外刃ケース１８に設けた縦溝２４に下方から係合している。ここに縦溝２４は下方に向かって開き、折曲部２２はこの縦溝２４に下方から係入され、縦溝２４の上端に当接した状態で外周外刃１０の上限位置が規制される。
【００２２】
外周外刃１０の内周面には下方に向かって開く複数のスリット２６が形成されている。これらのスリット２６には、後記するように内周外刃１２の爪３２が上下動可能に係入する。この状態で外周外刃の内周下縁が防振リング２８で周方向に固定されている。この防振リング２８は、後記する外周内刃ガイド６０に設けた突壁７８が摺接して外周内刃ガイド６０の振動を防止する。
【００２３】
内周外刃１２の外径は外周外刃１０の内径より僅かに小さく、外周外刃１０の内径内に挿入可能である。内周外刃１２は中央部がやや陥没し、その外側は円環状に隆起し、ここにほぼ放射方向のスリット状髭導入孔３０が周方向に多数形成されている。
【００２４】
内周外刃１２の外周下縁は、周方向の複数箇所が外側へ折曲され、これらの折曲部からなる爪３２が前記外周外刃１０に設けたスリット２６に係合可能である。内周外刃１２の中央の陥没部にはキャップ３４が接着固定されている。このキャップ３４の中央は内周外刃１２を貫通して下向きに突出し、ここに凹部３６が形成されている。この凹部３６には後記内周内刃ガイド７８の回転中心軸線上の突起８６が係入して内周内刃ガイド７８の軸振れを防いでいる。
【００２５】
次に内刃支持部を説明する。内刃５０は外周外刃１０の下面に摺接する外周内刃５２と、内周外刃１２の下面に摺接する内周内刃５４とを持つ。外周内刃５２および内周内刃５４は、金属薄板からなる円環５６、５８の外周部分を周方向に一定間隔ごとに切り起こし、全体をほぼ風車状に形成したものである。
【００２６】
外周内刃５２は外周内刃ガイド６０に固定されている。ここに外周内刃ガイド６０は、筒状部６２と、この筒状部６２の上部から外径方向に延出するフランジ状の外周内刃保持部６４と、この外周内刃保持部６４を上下方向に貫通する４つの開口部６６とを持つ。換言すれば、筒状部６２から放射状に延出する４本の支持腕６８によって環状のディスクである外周内刃保持部６４が保持されるものである。
【００２７】
筒状部６２には、電気モータにより回転駆動される駆動軸７０（図２）が下方から係入する平面視四角形の係合穴７２（図４）が形成されている。この係合穴７２には駆動軸７０の上端に形成された平面視略四角形の係合球部７４が係入し、駆動軸７０によって外周内刃ガイド６０が回転駆動される。外周内刃保持部６４の上面に前記外周内刃５２の円環部５６が固着される。
【００２８】
この外周内刃ガイド６０の外周内刃保持部６４の上面には、支持腕６８の外周端付近から上方に起立する４つの突壁７６が形成されている。これらの突壁７６の外周は前記外周外刃１０に固定した防振リング２８の内周面に摺接し、外周内刃ガイド６０の軸振れを防止している。
【００２９】
内周内刃５４は内周内刃ガイド７８に固定されている。ここに内周内刃ガイド７８は、前記外周内刃ガイド６０の上方に位置する平面視略十字状の内周内刃保持部８０と、この内周内刃保持部８０の略十字状の先端から下方へ延出する４本の係合爪８２とを備える。係合爪８２は外周内刃ガイド６０の開口部６６内に上方から進入し、係合爪８２の下端がこの開口部６６の内周縁に下方から係合する。
【００３０】
内周内刃保持部８０の上面には平面視六角形の突壁８４と、中心に位置し上方へ突出する突起８６とが形成されている。内周内刃５４の円環部５８はこの内周内刃保持部８０の上面に固定される。円環部５８の中央には六角形の開口が形成され、この開口を内周内刃保持部８０の突壁８４の外周に係合させて内周内刃５４と内周内刃ガイド７８との固定を確実にしている。
【００３１】
外周内刃ガイド６０の上面、すなわち外周内刃保持部６４の上面中央と、内周内刃ガイド７８の下面の間には、コイルばね８８が縮装されている。すなわちこのばね８８は、内周内刃ガイド７８を常に上向きに付勢する押上げばねであり、内周内刃ガイド７８は係合爪８２とこれが係合する開口部６６の内周縁との遊びの範囲内で上下動する。ここにコイルばね８８の復帰力は、駆動軸７０の復帰力よりも弱く設定しておく。
【００３２】
このように外周内刃ガイド６０および内周内刃ガイド７８を組合せた状態で、この組立体（内刃組立体）を駆動軸７０に載せる。すなわち下の外周内刃ガイド６０の筒状部６２の係合穴７２に、駆動軸７０の係合球部７４を係入させる。そして外刃１４を装着した外刃ケース１８を本体ケース（図示せず）に装着する。ここに本体ケースはモータや電池や制御回路などを収容し、外刃ケース１８はこの上部に装着される。
【００３３】
この時外周内刃５２は外周外刃１０の下面に当たって押し下げられ、駆動軸７０を押下する。すなわち外周内刃５２はこの駆動軸７０の上向きの復帰力によって外周外刃１０に接触する。また内周内刃５４は、内周外刃１２の下面に当たって押し下げられる。この時内周内刃５４が固定された内周内刃ガイド７８がコイルばね（押上げばね）８８を圧縮する。すなわち内周内刃５４はこのばね８８の復元力によって内周外刃１２に接触する。
【００３４】
この状態でモータが起動し、駆動軸７０が回転すれば、内・外周内刃ガイド６０、７８が回転し、外周内刃５２および内周内刃５４が外周外刃１０および内周外刃１２の下面に摺接しつつ回転する。内周外刃１２だけが肌面に当たって押し下げられると、内周内刃５４と共に内周内刃ガイド７８がコイルばね８８を圧縮しつつ下降する。この時、コイルばね８８は駆動軸７０の復帰力よりも弱く設定されているので、外周内刃ガイド６０が下降することはない。このため外周内刃５２が下降して外周外刃１０の下面から離れることがない。
【００３５】
外周外刃１０だけが肌面に当たって押下げられると、外周内刃５２および外周内刃ガイド６０が駆動軸７０を押下げながら下降する。この時内周外刃１２は外周の爪３２が外周外刃１０のスリット２６の上端に係合しているので、内周外刃１２は外周外刃１０と共に下降する。
【００３６】
この実施例では図２、４に示すように、内周外刃１２の爪３２が外周外刃１０のスリット２６の上縁に係合し、この状態で内周内刃ガイド７８の係合爪８２は外周内刃ガイド６０の開口部６６の内周縁から離れている。このため外周外刃１０が押下げられると、内周外刃１２はその爪３２が外周外刃１０のスリット２６の上端に係合した状態で静止する。従って外周外刃１０のみが押下げられると内周外刃１２も一体になって下降することになる。
【図面の簡単な説明】
【００３７】
【図１】本発明の一実施例である内刃支持部の組立状態を外刃および内刃を除いて示す平面図
【図２】外刃および内刃を組合せた状態を示す図１におけるII-II線断面図
【図３】同じく図１におけるIII-III線断面図
【図４】外周外刃ガイドの平面図
【符号の説明】
【００３８】
１０  外周外刃
１２  内周外刃
１４  外刃
２６  スリット
２８  防振リング
３２  爪
５０  内刃
５２  外周内刃
５４  内周内刃
６０  外周内刃ガイド
６２  筒状部
６４  外周内刃保持部
６６  開口部
７０  駆動軸
７６  突壁
７８  内周内刃ガイド
８０  内周内刃保持部
８２  係合爪
８８  コイルばね（押上げばね）
【図１】
2008099770.tif 000003
【図２】
2008099770.tif 000004
【図３】
2008099770.tif 000005
【図４】
2008099770.tif 000006